(57)【要約】【課題】計測された心拍数を表示などする際に、面白みのある表示などをすることによってよりゲーム性をもたせた浴室システムを提供する。【解決手段】浴槽Ｂ内に給湯を行うための給湯装置本体１と、浴室内および浴室外の適所にそれぞれ設けられ給湯装置本体１を遠隔操作するための互いに通話可能な複数のリモコン２，３と、浴槽Ｂ内の入浴者の心拍動作を検出するための心拍電極６と、この心拍電極６によって検出された心拍動作に基づいて入浴者の心拍数を計測する計測装置４とを備える浴室システムであって、ユーザの操作入力によりゲームモードに移行させるための操作部２４と、操作部２４によってゲームモードに移行され、複数のリモコン２，３において通話可能となったとき、計測装置４によって計測される入浴者の心拍数が基準心拍数と比較して所定量以上であるか否かを判別し、入浴者の心拍数が基準心拍数と比較して所定量以上であると判別された場合、その旨を各リモコン２，３において報知させる計測側マイコン４３とを備える。【選択図】  図６
2004358126.tif 000002
【特許請求の範囲】
【請求項１】
浴槽内に給湯を行うための給湯装置と、浴室内および浴室外の適所にそれぞれ設けられ前記給湯装置を遠隔操作するための互いに通話可能な複数の遠隔操作装置とを備える浴室システムであって、
浴槽内の入浴者の心拍動作を検出するための心拍動作検出手段と、
この心拍動作検出手段によって検出された心拍動作に基づいて入浴者の心拍数を計測する心拍数計測手段と、
ユーザの操作入力により第１のモードと第２のモードとを切り換えるモード切換手段と、
前記モード切換手段によって前記第１のモードに切り換えられたとき、前記心拍数計測手段によって計測された心拍数を前記遠隔操作装置において報知させる第１報知制御手段と、
前記モード切換手段によって前記第２のモードに切り換えられたとき、前記複数の遠隔操作装置において通話可能とされ、前記心拍計測手段によって計測される入浴者の心拍数が基準心拍数と比較して所定量以上であるか否かを判別する判別手段と、
前記判別手段によって入浴者の心拍数が基準心拍数と比較して所定量以上であると判別された場合、その旨を前記複数の遠隔操作装置において報知させる第２報知制御手段と、
を備えることを特徴とする、浴室システム。
【請求項２】
浴槽内に給湯を行うための給湯装置と、浴室内および浴室外の適所にそれぞれ設けられ前記給湯装置を遠隔操作するための互いに通話可能な複数の遠隔操作装置と、浴槽内の入浴者の心拍動作を検出するための心拍動作検出手段と、この心拍動作検出手段によって検出された心拍動作に基づいて入浴者の心拍数を計測する心拍数計測手段とを備える浴室システムであって、
ユーザの操作入力により特殊モードに移行させるためのモード設定手段と、
前記モード設定手段によって特殊モードに移行され、前記複数の遠隔操作装置において通話可能となったとき、前記心拍計測手段によって計測される入浴者の心拍数が基準心拍数と比較して所定量以上であるか否かを判別する判別手段と、
前記判別手段によって入浴者の心拍数が基準心拍数と比較して所定量以上であると判別された場合、その旨を前記複数の遠隔操作装置において報知させる報知制御手段と、
を備えることを特徴とする、浴室システム。
【発明の詳細な説明】
【０００１】
【発明の属する技術分野】
本願発明は、入浴しながら心拍数を計測することのできる心拍数計測機能が付加された浴室システムに関する。
【０００２】
【従来の技術】
従来より、浴槽などに給湯を行うものとしては、給湯装置本体と、それに２芯線などによって接続された浴室リモコンや台所リモコンとを備えて構成された浴室システムがある。
【０００３】
給湯装置本体は、給湯用、風呂追い焚き用および温水暖房用などの熱交換器を備える燃焼ユニットと、この燃焼ユニットを制御するマイクロコンピュータ（以下、単に「マイコン」という。）を備える制御部とが設けられている。一方、浴室リモコンや台所リモコンは、給湯装置本体の給湯運転を遠隔操作するためのものであり、操作スイッチや液晶表示器などを有する操作表示部が備えられている。浴室リモコンや台所リモコンには、給湯装置本体から２芯線などの接続線を介して電源が供給される。
【０００４】
一方、入浴しているユーザの心拍数を計測するための心拍センサおよび計測装置を備えた浴室システムが提案されている（たとえば、特許文献１参照。）。このような浴室システムの中には、上記計測装置に対して給湯装置本体から電源電圧が供給され、計測装置で計測した心拍数を浴室リモコンなどの操作表示部に表示するものもある。
【０００５】
【特許文献１】
特開平１０−１２７５９１号公報
【０００６】
【発明が解決しようとする課題】
上記浴室システムによれば、ユーザが入浴すれば、心拍センサによってユーザの心拍数を検出し、計測装置によって心拍数が計測されると、たとえば浴室リモコンの操作表示部に、計測された心拍数を表示する。あるいは、計測された心拍数に基づいて入浴者に異常を判別し、その判別結果を表示する。しかしながら、このような表示は、面白みに欠けるものであった。
【０００７】
そこで、本願発明者は、入浴者の心理状態の変化が心拍数の変化に現れるということを利用して、心拍数の計測値に基づいて入浴者の心理状態の変化を算出し、その算出結果を表示または音声出力するようにすれば、より面白みのある表示などがなされ、よりゲーム性を備えた浴室システムを提供することができるのではないかと考えた。
【０００８】
【発明の開示】
本願発明は、上記した事情のもとで考え出されたものであって、計測された心拍数を表示などする際に、面白みのある表示などをすることによってよりゲーム性をもたせた浴室システムを提供することを、その課題とする。
【０００９】
上記の課題を解決するため、本願発明では、次の技術的手段を講じている。
【００１０】
本願発明の第１の側面によって提供される浴室システムは、浴槽内に給湯を行うための給湯装置と、浴室内および浴室外の適所にそれぞれ設けられ前記給湯装置を遠隔操作するための互いに通話可能な複数の遠隔操作装置とを備える浴室システムであって、槽内の入浴者の心拍動作を検出するための心拍動作検出手段と、この心拍動作検出手段によって検出された心拍動作に基づいて入浴者の心拍数を計測する心拍数計測手段と、ユーザの操作入力により第１のモードと第２のモードとを切り換えるモード切換手段と、前記モード切換手段によって前記第１のモードに切り換えられたとき、前記心拍数計測手段によって計測された心拍数を前記遠隔操作装置において報知させる第１報知制御手段と、前記モード切換手段によって前記第２のモードに切り換えられたとき、前記複数の遠隔操作装置において通話可能とされ、前記心拍計測手段によって計測される入浴者の心拍数が基準心拍数と比較して所定量以上であるか否かを判別する判別手段と、前記判別手段によって入浴者の心拍数が基準心拍数と比較して所定量以上であると判別された場合、その旨を前記複数の遠隔操作装置において報知させる第２報知制御手段とを備えることを特徴としている。ここで、「基準心拍数」とは、第２モードに移行される前に計測された入浴者の心拍数であってもよいし、予めメモリなどに登録された入浴者の平静時の心拍数であってもよい。
【００１１】
上記構成によれば、モード切換手段によって第１モードに切り換えられたとき、心拍数計測手段によって計測された心拍数が遠隔操作装置において報知される。一方、モード切換手段によって第２モードに切り換えられたとき、複数の遠隔操作装置（たとえば台所リモコンと浴室リモコン）において通話が可能とされ、計測された入浴者の心拍数が基準心拍数と比べて所定量以上であるか否かが判別され、入浴者の心拍数が所定量以上である場合、その旨が報知制御手段によって報知される。そのため、本願発明では、心拍数を計測して表示する機能に加えて第２モードにおいてたとえば以下に示すうそ発見ゲームが採用可能となる。
【００１２】
具体的には、第２モードに移行されたとき、浴室外（たとえば台所）にいるユーザが台所リモコンを通じて入浴者に対して質問を行い、入浴者は、その質問に対して浴室リモコンを通じて「いいえ」と返答する。このとき、入浴者は、通常、上記質問の内容に対して「いいえ」という返答が事実であれば平静さを保つことができるので、心拍数はさほど上昇しない。一方、上記質問の内容に対して「いいえ」という返答が誤り（うそ）であれば動揺して心拍数が上昇する場合が多い。そして、心拍数が基準心拍数と比べて所定量以上であるとその旨が報知されるので、台所にいるユーザおよび入浴者は、このようなうそ発見ゲームを楽しむことができる。このように、計測された心拍数を利用してゲームを実行することができ、計測された心拍数を有効活用することができる。
【００１３】
また、本願発明の第２の側面によって提供される浴室システムは、浴槽内に給湯を行うための給湯装置と、浴室内および浴室外の適所にそれぞれ設けられ前記給湯装置を遠隔操作するための互いに通話可能な複数の遠隔操作装置と、浴槽内の入浴者の心拍動作を検出するための心拍動作検出手段と、この心拍動作検出手段によって検出された心拍動作に基づいて入浴者の心拍数を計測する心拍数計測手段とを備える浴室システムであって、ユーザの操作入力により特殊モードに移行させるためのモード設定手段と、前記モード設定手段によって特殊モードに移行され、前記複数の遠隔操作装置において通話可能となったとき、前記心拍計測手段によって計測される入浴者の心拍数が基準心拍数と比較して所定量以上であるか否かを判別する判別手段と、前記判別手段によって入浴者の心拍数が基準心拍数と比較して所定量以上であると判別された場合、その旨を前記複数の遠隔操作装置において報知させる報知制御手段と、を備えることを特徴としている。
【００１４】
本願発明のその他の特徴および利点は、添付図面を参照して以下に行う詳細な説明によって、より明らかとなろう。
【００１５】
【発明の実施の形態】
以下、本願発明の好ましい実施の形態を、添付図面を参照して具体的に説明する。
【００１６】
図１は、本願発明にかかる浴室システムを示す概略構成図である。図２は、この浴室システムの電気的構成を示す図である。この浴室システムは、給湯装置本体１と、これを遠隔操作するための台所リモコン２および浴室リモコン３と、入浴者の心拍数を計測するための計測装置４と、浴槽Ｂ内の湯水の水位を検出するための水位検出センサ５と、複数の心拍電極６ａ，６ｂ，６ｃ（以下、総称するときは「心拍電極６」という。）とによって概略構成されている。給湯装置本体１は、２芯線７を介して台所リモコン２、浴室リモコン３、および計測装置４を接続している。
【００１７】
この浴室システムは、浴槽Ｂ内にいる入浴者の心拍数を計測するといった心拍計測機能を備えており、さらに、この心拍計測機能を利用したゲーム実行機能を備えている。ゲーム実行機能におけるゲームとしては、たとえばうそ発見ゲームが採用されており、これは、たとえば台所にいるユーザと浴槽Ｂ内にいる入浴者とが会話することにより入浴者の心拍数が変化する態様を表示または音声出力して楽しむものである。
【００１８】
給湯装置本体１は、図２に示すように、たとえば住宅の屋外に設置され、給湯用、風呂追い焚き用、または温水暖房用の熱交換器、各種燃焼器、および各種バルブなど（いずれも図示せず）を含む燃焼ユニット１０と、給湯装置本体１の全体動作を制御する制御部１１とを備えている。
【００１９】
制御部１１は、たとえば電子部品が搭載されたプリント基板によって構成され、マイクロコンピュータ１２（以下、「本体側マイコン１２」という）、ＥＥＰＲＯＭ１３、および通信部１４などを有している。本体側マイコン１２は、給湯装置本体１の制御中枢となるものであり、図示しないＲＯＭに記憶されている運転実行プログラム、あるいは台所リモコン２、浴室リモコン３や図示しない暖房用機器などから送られる操作信号などに基づいて、各種燃焼器の燃焼状態や各種バルブの開閉を制御する。
【００２０】
ＥＥＰＲＯＭ１３は、各種のデータを必要に応じて記憶するものである。
【００２１】
通信部１４は、台所リモコン２や浴室リモコン３との通信を行うためのものであり、所定の変復調方式に基づいた変復調回路によって構成されている。給湯装置本体１から台所リモコン２および浴室リモコン３に対しては、２芯線７を介して電源供給（たとえばＤＣ１５Ｖ）がされており、上記通信部１４において変調されたデータ信号は、電源電圧に重畳され、この２芯線７を介して台所リモコン２または浴室リモコン３に伝達される。また、台所リモコン２および浴室リモコン３から上記２芯線７を介して伝達された操作信号としてのデータ信号は、上記通信部１４において復調され、本体側マイコン１２に送られる。
【００２２】
台所リモコン２は、図３に示すように、たとえばキッチンの流し台近傍に設置された略直方体形状のケースを備えており、ユーザによる操作に基づいて、給湯装置本体１を遠隔操作する。台所リモコン２は、制御部２１、通信部２２、表示部２３、および操作部２４を備えている。制御部２１は、マイクロコンピュータ２５（以下、単に「台所側マイコン２５」という）、およびＥＥＰＲＯＭ２６を備えている。
【００２３】
台所側マイコン２５は、この台所リモコン２の制御を司るものであり、図示しないＲＯＭによって記憶されている運転実行プログラムや、ユーザによる操作部２４の操作内容に基づいて、各部の動作制御やデータ処理を実行し、たとえば給湯温度、風呂湯温の設定温度、およびバーナの点火状況などを必要に応じて表示部２３に表示させたり、スピーカ２４ｅ（後述）から音声にして出力させたりする。
【００２４】
また、台所側マイコン２５は、計測装置４によって計測された入浴者の心拍数の情報を受け取ると、それを表示部２３に表示させたり、スピーカ２４ｅ（後述）から音声にして出力させたりする機能を有する。
【００２５】
さらに、台所側マイコン２５は、ユーザによる操作部２４の操作に基づいてゲームモードに移行されると、その旨やゲームの進行に関する情報を表示部２３に表示させたり、スピーカ２４ｅ（後述）から音声にして出力させたりする機能を有する。たとえば、台所側マイコン２５は、計測装置４によって入浴者がうそをついたと判別されたとき、計測装置４から送られるコマンド信号に基づいて、図７に示すような「うそ」の文字が含まれる表示データを表示部２３に表示させる。
【００２６】
ＥＥＰＲＯＭ２６は、各種のデータを必要に応じて記憶するものである。たとえば、図７に示した表示画面中の「うそ」の文字およびその表示色などをデータとして記憶する。
【００２７】
通信部２２は、給湯装置本体１や浴室リモコン３との通信を行うためのものであり、所定の変復調方式に基づいた変復調回路によって構成されている。給湯装置本体１または浴室リモコン３から２芯線７を介して伝達されたデータ信号は、この通信部２２において復調され、台所側マイコン２５に送られる。また、通信部２２において変調されたデータ信号は、２芯線７を介して給湯装置本体１または浴室リモコン３に伝達される。
【００２８】
表示部２３は、図３に示したように、たとえば多数の蛍光体をドットマトリクス状に配置した蛍光管や液晶ディスプレイ装置などからなり、台所側マイコン２５からの指令により風呂湯の設定温度やバーナの点火状況などを表示する。さらに、計測装置４によって計測された入浴者の心拍数の情報を表示する。そのため、たとえば高齢者や要介護者などが入浴しているときに、その入浴者の状態を入浴者の心拍数などを通じて台所において監視することができる。
【００２９】
操作部２４は、ユーザによって給湯運転や暖房運転などを行うために操作されるものであって、複数のキースイッチからなる。具体的には、運転の発停を行うためのスイッチ２４ａ、湯水の温度の設定などといった各種の設定を行うための設定スイッチ２４ｂ、ユーザの操作により自動で湯張りや保温などを行うための風呂自動スイッチ２４ｃ、台所にいる者が必要に応じて入浴者と通話するための通話スイッチ２４ｄ、並びにゲームの開始および終了を設定するためのゲームスイッチ２４ｆなどが設けられている。なお、図３中、符号２４ｅはスピーカを示す。ユーザによって、これらのキースイッチが操作されると、その操作信号が台所側マイコン２５に送られる。
【００３０】
ここで、上記ゲームスイッチ２４ｆは、請求項１に記載の「モード切換手段」に相当し、あるいは請求項２に記載の「モード設定手段」に相当するものである。ゲームスイッチ２４ｆは、押圧されるごとにゲームの開始および終了を設定するものであるが、ゲームが行われていない状態が請求項１に記載の「第１モード」に相当し、ゲームが行われている状態が請求項１に記載の「第２モード」および請求項２の「特殊モード」に相当する。
【００３１】
また、図示しないが、台所リモコン２には、マイクロフォンが内蔵されており、たとえば通話スイッチ２４ｄが押圧されて浴室リモコン３との通話状態が確立した状態では、このマイクロフォンを通じて台所にいるユーザの話し声が入力され、浴室リモコン３から出力されるようになっている。
【００３２】
一方、浴室リモコン３は、図４に示すように、浴室内の浴槽Ｂの近傍などに設置された、防水機能が施されたケースを備えており、台所リモコン２と同様に、給湯装置本体１を遠隔操作する。浴室リモコン３は、図２に示すように、制御部３１、通信部３２、表示部３３、および操作部３４を備えている。制御部３１は、マイクロコンピュータ３５（以下、単に「浴室側マイコン３５」という）、およびＥＥＰＲＯＭ３６を備えている。
【００３３】
浴室側マイコン３５は、この浴室リモコン３の制御を司るものであり、図示しないＲＯＭによって記憶されている実行プログラムや、ユーザによる操作部３４の操作内容に基づいて、各部の動作制御やデータ処理を実行し、たとえば給湯温度、風呂湯温の設定温度、およびバーナの点火状況などを必要に応じて表示部３３に表示させたり、スピーカ３４ｇ（後述）から給湯運転に関する音声を出力させたりする。
【００３４】
また、浴室側マイコン３５は、計測装置４によって計測された入浴者の心拍数の情報を受け取ると、それを表示部３３に表示させたり、スピーカ３４ｇ（後述）から心拍数に関する音声を出力させたりする機能を有する。
【００３５】
さらに、浴室側マイコン３５は、ゲームモードに移行されると、その旨やゲームの進行に関する情報を表示部３３に表示させたり、スピーカ３４ｇ（後述）から音声にして出力させたりする機能を有する。たとえば、浴室側マイコン３５は、計測装置４によって入浴者がうそをついたと判別されたとき、計測装置４から送られるコマンド信号に基づいて、図７に示すような「うそ」の文字が含まれる表示データを表示部２３に表示させる。
【００３６】
ＥＥＰＲＯＭ３６は、各種のデータを必要に応じて記憶するものである。たとえば、図７に示した表示画面中の「うそ」の文字およびその表示色などをデータとして記憶する。
【００３７】
通信部３２は、給湯装置本体１や台所リモコン２との通信を行うためのものであり、所定の変復調方式に基づいた変復調回路によって構成されている。給湯装置本体１または台所リモコン２から２芯線７を介して伝達されたデータ信号は、この通信部３２において復調され、浴室側マイコン３５に送られる。また、通信部３２において変調された信号は、２芯線７を介して給湯装置本体１または台所リモコン２に伝達される。
【００３８】
表示部３３は、図４に示すように、たとえば多数の蛍光体をドットマトリクス状に配置した蛍光管や液晶ディスプレイ装置などからなり、台所リモコン２の表示部２３と同様に、浴室側マイコン３５からの指令により風呂湯の設定温度やバーナの点火状況などを表示する。さらに、計測装置４によって計測された入浴者の心拍数を表示する。
【００３９】
操作部３４は、ユーザによって給湯運転を入力するために操作されるものであって、複数のキースイッチからなる。具体的には、運転の発停を行うためのスイッチ３４ａ、湯水の温度の設定などといった各種の設定を行うための設定スイッチ３４ｂ、優先スイッチ３４ｃ、ユーザが操作をすると自動で湯張りや保温などを行うための風呂自動スイッチ３４ｄ、追い焚き運転を行うための追い焚きスイッチ３４ｅ、入浴者が必要に応じて台所にいる者と通話するための通話スイッチ３４ｆ、並びにゲームの開始および終了を設定するためのゲームスイッチ３４ｈなどが設けられている。ユーザによって、これらのキースイッチが操作されると、その操作信号が浴室側マイコン３５に送られる。なお、図４中、符号３４ｇはスピーカを示す。
【００４０】
ここで、上記ゲームスイッチ３４ｈは、台所リモコン２のゲームスイッチ２４ｆと同様に、請求項１に記載の「モード切換手段」に相当し、あるいは請求項２に記載の「モード設定手段」に相当するものである。
【００４１】
また、図示しないが、浴室リモコン３には、マイクロフォンが内蔵されており、たとえば台所リモコン２との通話状態が確立した状態では、このマイクロフォンを通じて台所にいるユーザの話し声が入力され、台所リモコン２から出力されるようになっている。
【００４２】
図１および図２に戻り、計測装置４は、入浴者の心拍数を計測するためのものであり、浴室内の浴槽Ｂに設けられている。計測装置４は、制御部４１および通信部４２を備えている。制御部４１は、マイクロコンピュータ４３（以下、単に「計測側マイコン４３」という）、ＥＥＰＲＯＭ４４、Ｉ／Ｏ部４５、および信号処理部４６を備えている。Ｉ／Ｏ部４５には、水位検出センサ５が接続され、信号処理部４６には、複数の心拍電極６が接続されている。
【００４３】
計測側マイコン４３は、この計測装置４の制御を司るものであり、図示しないＲＯＭによって記憶されている実行プログラムや水位検出センサ５および心拍電極６からの出力に基づいてデータ処理を実行する。たとえば、計測側マイコン４３は、心拍電極６によって検出された心拍電圧に基づいて、入浴者の心拍数を演算によって求める。
【００４４】
また、計測側マイコン４３は、この浴室システムがゲームモードに移行され、台所リモコン２および浴室リモコン３において通話が可能になったとき、計測された入浴者の心拍数が基準心拍数と比較して所定量以上であるか否かを判別する機能を有する。そして、この心拍数が基準心拍数と比較して所定量以上であると判別した場合、その旨をコマンド信号にして台所リモコン２および浴室リモコン３に送る。
【００４５】
この浴室システムにおいて採用されるゲームの一例としては、いわゆるうそ発見ゲームが挙げられる。これは、たとえば台所にいるユーザが入浴者に対して質問を行い、入浴者がその質問に対して必ず「いいえ」と返答するといった手順で進められる。このとき、入浴者は、通常、その質問の内容に対して「いいえ」という返答が事実であれば平静を保つことができ、心拍数はさほど上昇しないが、その質問の内容に対して「いいえ」という返答が誤り（うそ）であれば動揺して心拍数が上昇する場合が多い。計測側マイコン４３は、この心拍数の上昇を、上記したアルゴリズムによって検出するようにしている。
【００４６】
ＥＥＰＲＯＭ４４は、各種のデータを必要に応じて記憶するものである。
【００４７】
通信部４２は、給湯装置本体１との通信を行うためのものであり、所定の変復調方式に基づいた変復調回路によって構成されている。給湯装置本体１、台所リモコン２、または浴室リモコン３から２芯線７を介して伝達されたデータ信号は、この通信部４２において復調され、計測側マイコン４３に送られる。また、通信部４２において変調された信号は、２芯線７を介して給湯装置本体１、台所リモコン２、または浴室リモコン３に伝達される。
【００４８】
また、計測装置４は、給湯装置本体１からこの２芯線７を介して電源供給（たとえばＤＣ１５Ｖ）がされており、上記したデータ信号は、電源電圧に重畳されて送られる。
【００４９】
信号処理部４６は、心拍電極６によって検出された心拍信号としてのアナログ信号を所定のディジタル信号に変換して計測側マイコン４３に与えるものである。より具体的には、信号処理部４６は、図５に示すように、心拍電極６によって検出された心拍信号に含まれる高周波のインパルスノイズを除去するための第１フィルタ回路４６ａと、この第１フィルタ回路４６ａによって得られた心拍信号を増幅するための差動増幅回路４６ｂと、差動増幅回路４６ｂによって増幅された心拍信号に含まれる電源周波数より高い周波数のノイズを除去するための第２フィルタ回路４６ｃと、この第２フィルタ回路４６ｃによって得られた心拍信号をさらに増幅するための増幅回路４６ｄとを有している。
【００５０】
心拍電極６は、図１に示したように、浴槽Ｂ内に設けられている。詳細には、心拍電極６ａ，６ｂは、浴槽Ｂ内に溜められた湯水に浸っている入浴者の両側、すなわち浴槽Ｂの左右両側壁に設けられている。また、心拍電極６ｃは、浴槽Ｂの一端側側壁に設けられている。心拍電極６ａ，６ｂ，６ｃは、浴槽Ｂにおいてほぼ同様の高さ位置に配置されている。この心拍電極６によって検出された心拍信号は、計測装置４の信号処理部４６に送られる。
【００５１】
水位検出センサ５は、たとえば浴槽Ｂの水頭圧と大気圧との差圧によって水位を検出するものである。そのため、受圧部の大気側は、ブリーザパイプ５ａ（図１参照）によって浴室外（大気）に開放されている。この水位検出センサ５によって検出された検出信号は、計測装置４に送られ処理される。
【００５２】
また、このような浴槽Ｂの水頭圧と大気圧との差圧に基づいて水位を検出する水位検出センサ５に代えて、たとえば給湯装置本体１に設けられた圧力センサによって湯水の水位上昇を検出するようにしてもよい。すなわち、この圧力センサは、浴槽Ｂと給湯装置本体１とを接続する給湯配管（図示略）の一端である、給湯装置本体１側に設けられ、給湯配管内の圧力を検出することにより、浴槽Ｂ内に溜められた湯水の水位上昇を検出するものである。この圧力センサによって検出された検出信号は、計測装置４に送られ処理される。
【００５３】
次に、上記の構成における作用について、図６に示すフローチャートを参照して説明する。
【００５４】
まず、計測側マイコン４３は、浴室内に入室したユーザが浴槽Ｂ内に入ったか否かを判別する（Ｓ１）。具体的には、計測側マイコン４３は、水位検出センサ５からの検出信号を監視し、浴槽Ｂ内の湯水の水位が急激に上昇したか否かに基づいて、ユーザが浴槽Ｂ内に入ったか否かを判別する。水位検出センサ５は、水位の上昇を検出すると、その検出信号を計測側マイコン４３に伝達する。計測側マイコン４３は、水位検出センサ５からの検出信号を受信すると、浴槽Ｂ内の湯水の水位が急激に上昇したことにより、ユーザが浴槽Ｂ内に入ったと判別する（Ｓ１：ＹＥＳ）。
【００５５】
次いで、計測側マイコン４３は、心拍計測処理を行う（Ｓ２）。具体的には、計測装置４の信号処理部４６は、心拍電極６によって検出される検出信号を取り入れて、それをアナログ−ディジタル変換した後、サンプリングし、所定のディジタル信号に変換した上で、それを計測側マイコン４３に伝達する。計測側マイコン４３は、信号処理部４６から送られた信号に基づいて、心拍数を計測する。
【００５６】
計測側マイコン４３は、計測した心拍数をデータにして通信部４２および２芯線７を介して台所リモコン２および浴室リモコン３に伝達する。
【００５７】
浴室リモコン３は、伝達された心拍数のデータを受信すると、その値を表示部３３に表示させる（Ｓ３）。また、浴室リモコン３は、心拍数のデータを音声にして操作部３４のスピーカ３４ｇから出力するようにしてもよい。入浴者は、浴室リモコン３における表示またはスピーカ３４ｇからの音声により、自己の心拍数を把握することができる。
【００５８】
一方、台所リモコン２は、伝達された心拍数のデータを受信すると、それを表示部２３に表示させる。また、台所リモコン２は、心拍数のデータを音声にして操作部２４のスピーカ２４ｅから出力するようにしてもよい。台所にいる他のユーザは、台所リモコン２における表示またはスピーカ２４ｅからの音声により、浴槽Ｂ内にいる入浴者の心拍数を把握することができる。
【００５９】
次いで、台所リモコン２の台所側マイコン２５は、操作部２４のゲームスイッチ２４ｆが押圧されたか否かを判別する（Ｓ４）。すなわち、台所にいるユーザは、表示部２３によって入浴者の心拍数が表示されることにより、ゲームの実行が可能なことが認識でき、ゲームを行いたい場合には操作部２４のゲームスイッチ２４ｆを押圧する。これにより、台所側マイコン２５は、ゲームスイッチ２４ｆが押圧されたことを認識し、浴室リモコン３にゲームを開始する旨のコマンド信号を送る。
【００６０】
浴室リモコン３は、台所リモコン２からの上記コマンド信号を受信すると、浴室側マイコン３５は、表示部３３にゲームを開始する旨を表示する（Ｓ５）。これにより、入浴者は、台所にいるユーザの操作入力によって、ゲームが開始されることを認識する。
【００６１】
なお、この場合、入浴者が操作部３４のゲームスイッチ３４ｈを押圧することによってもゲームを開始することが可能であるが、たまたま台所にユーザがいないときもあるので、このような場合を想定して、入浴者によるゲームスイッチ３４ｈの押圧後、台所リモコン２からの操作部２４における何らかのスイッチ操作があることにより、ゲームが開始されるようにしてもよい。
【００６２】
ゲームの進行例としては、たとえば次の手順が挙げられる。すなわち、台所にいるユーザは、入浴者に対して質問を行い、入浴者は、その質問に対して必ず「いいえ」と返答する。ここで、入浴者は、通常、その質問の内容に対して「いいえ」という返答が事実であれば平静を保つことができ、心拍数はさほど上昇しないが、その質問の内容に対して「いいえ」という返答が誤り（うそ）であれば動揺して心拍数が上昇する場合が多い。なお、この場合、台所にいるユーザの質問の内容としては、入浴者を特に驚かすようなものにすれば、ゲームの趣向をより高めることができる。
【００６３】
浴室側マイコン３５は、ゲームが開始された後、計測される入浴者の心拍数がゲーム開始前の心拍数に比べて所定量以上あるか否かの判別を行う（Ｓ６）。入浴者の心拍数が所定量以上ある場合（Ｓ６：ＹＥＳ）、入浴者が動揺したとして、浴室側マイコン３５は、図７に示すように、表示部３３に「うそ」といった文字を表示あるいは点滅表示させる（Ｓ７）。あるいは、スピーカ３４ｇを通じてその旨を音声出力させる。
【００６４】
また、浴室側マイコン３５は、台所リモコン２にその旨のコマンド信号を伝達する。台所側マイコン２５は、そのコマンド信号を受け取ると、浴室リモコン３と同様に、表示部２３に「うそ」といった文字を表示あるいは点滅表示させる。あるいは、スピーカ２４ｅを通じてその旨を音声出力させる。これにより、入浴者および台所にいるユーザがともに、入浴者が「うそ」をついているだろうことが把握でき、このようにしてゲームを楽しむことができる。なお、表示部３３および表示部２３に表示させる文字としては、「うそ」といった文字に限るものではない。
【００６５】
浴室側マイコン３５は、ステップＳ６において計測される入浴者の心拍数がゲーム開始前の心拍数に比べて所定量以上ない場合（Ｓ６：ＮＯ）、台所リモコン２に対してその旨のコマンド信号を送る。
【００６６】
台所側マイコン２５は、その旨のコマンド信号を受け取った場合、あるいはステップＳ７において「うそ」を報知した場合、所定時間経過後（Ｓ８：ＹＥＳ）、再度ゲームスイッチ２４ｆが押圧されたか否かの判別を行う（Ｓ９）。台所側マイコン２５は、再度ゲームスイッチ２４ｆが押圧されたと判別した場合（Ｓ９：ＹＥＳ）、処理を終了する。なお、ゲームの終了は、浴室リモコン３の表示部３４のゲームスイッチ３４ｈが入浴者によって押圧されることによりなされてもよい。
【００６７】
ステップＳ４において、ゲームスイッチ２４ｆが所定時間経過しても（Ｓ１０：ＹＥＳ）、押圧されない場合（Ｓ４：ＮＯ）、ゲームの実行処理は行われない。
【００６８】
このように、この実施形態によれば、計測された心拍数を利用して上記したようなうそ発見ゲームを実行することができるので、計測された心拍数を有効活用することができる。
【００６９】
なお、この実施形態では、ゲーム開始後に計測された心拍数とゲーム開始前の心拍数とを比較してその比較結果を表示部２３などに表示などするようにしたが、これに代えて、予め入浴者の平静時の心拍数を求めＥＥＰＲＯＭ３６などに記憶させておき、このＥＥＰＲＯＭ３６などに記憶された心拍数と、ゲーム開始後に計測された心拍数とを比較し、その比較結果を表示部２３などに表示などするようにしてもよい。
【００７０】
また、この実施形態では、台所にいる者と入浴者との会話によってゲームを進行させていたが、これに代えて、入浴者と浴室側マイコン３５との対話によってゲームを進行させるゲーム（たとえば一種の占いゲーム）が採用されてもよい。すなわち、浴室側マイコン３５は、ゲームモードに移行すると、ＥＥＰＲＯＭ３６などに予め記憶された音声データとしての質問事項をスピーカ３４ｇを通じて出力させ、その出力時に計測装置４において心拍数の変化を検出するようにして、その変化の度合いに基づく占い結果（たとえば、「体調がいいので明日は大吉）といった表示）を表示部３４に表示させるようにしてもよい。
【００７１】
なお、この発明の範囲は上述した実施の形態に限定されるものではない。たとえば、給湯装置本体１に接続されるリモコンの数は、上記の実施形態に限定されるものではない。また、計測装置４は、給湯装置本体１内に設けられていてもよく、あるいは浴室リモコン３などと一体的に構成されていてもよい。これにより、通信経路が省略でき、伝送エラーの発生する可能性を極力少なくすることができる。
【００７２】
また、上記実施形態では、台所にいるユーザの入浴者に対する質問によって入浴者の心拍数の変化を検出するようにしたが、これに代えて、浴室側マイコン３５は、ゲームモードに移行した際、たとえば浴室リモコン３のＥＥＰＲＯＭ３６などに予め記憶された画像データ（入浴者がどっきりするような画像データ）を読み出して、浴室リモコン３の表示部３４などに表示させ、計測装置４において、心拍数の変化を検出するようにしてもよい。
【００７３】
また、台所リモコン２の表示部２４および浴室リモコン３の表示部３４において表示される心拍数は、図７に示した数値表示に代えて、たとえば図８に示すように、グラフ４１によって表示されてもよい。すなわち、縦軸に心拍数、横軸に時間を設定し、所定時間ごとに心拍数をサンプリングして、心拍数の移り変わりがわかるように表示させる。そして、心拍数が閾値４２を越えたとき、「ウソ」の表示を行うようにしてもよい。
【００７４】
あるいは、図９に示すように、心拍数の変化を、左右に伸縮表示するインジケータ４４によって表してもよく、インジケータ４４が閾値４５を越えたとき、「ウソ」の表示を行うようにしてもよい。また、これらの表示は、台所リモコン２の表示部２４および浴室リモコン３の表示部３４以外の表示装置によってなされてもよい。
【００７５】
また、台所リモコン２の表示部２４および浴室リモコン３の表示部３４において表示される心拍数は、その計測値に基づいて段階的な表示がされてもよい。たとえば、浴室側マイコン３５は、計測された心拍数が基準心拍数に比べ、さほど変化しない場合には、「まだまだ大丈夫」などの文字を表示させ、計測された心拍数が基準心拍数に比べ、かなり変化した場合には、「もうだめだ」などの文字を表示させるようにしてもよい。また、これらの表示は、段階的に異なる色で表示されるようにしてもよい。
【００７６】
【発明の効果】
本願発明によれば、モード切換手段によって第１モードに切り換えられたとき、心拍数計測手段によって計測された心拍数が遠隔操作装置において報知される。一方、モード切換手段によって第２モードに切り換えられたとき、複数の遠隔操作装置（たとえば台所リモコンと浴室リモコン）において通話が可能とされ、計測された入浴者の心拍数が基準心拍数と比べて所定量以上であるか否かが判別され、入浴者の心拍数が所定量以上である場合、その旨が報知制御手段によって報知される。そのため、本願発明では、心拍数を計測して表示する機能に加えて第２モードにおいてたとえば以下に示すうそ発見ゲームが採用可能となる。具体的には、第２モードに移行されたとき、浴室外（たとえば台所）にいるユーザが台所リモコンを通じて入浴者に対して質問を行い、入浴者は、その質問に対して浴室リモコンを通じて「いいえ」と返答する。このとき、入浴者は、通常、上記質問の内容に対して「いいえ」という返答が事実であれば平静さを保つことができるので、心拍数はさほど上昇しない。一方、上記質問の内容に対して「いいえ」という返答が誤り（うそ）であれば動揺して心拍数が上昇する場合が多い。そして、心拍数が基準心拍数と比べて所定量以上であるとその旨が報知されるので、台所にいるユーザおよび入浴者は、このようなうそ発見ゲームを楽しむことができる。このように、計測された心拍数を利用してゲームを実行することができ、計測された心拍数を有効活用することができる。
【図面の簡単な説明】
【図１】本願発明にかかる浴室システムを示す概略構成図である。
【図２】図１の浴室システムの電気的構成を示す図である。
【図３】台所リモコンの正面図である。
【図４】浴室リモコンの正面図である。
【図５】信号処理部の内部構成を示す図である。
【図６】本浴室システムの動作を説明するためのフローチャートを示す図である。
【図７】表示部における表示例を示す図である。
【図８】表示部における表示例を示す図である。
【図９】表示部における表示例を示す図である。
【符号の説明】
１    給湯装置本体
２    台所リモコン
３    浴室リモコン
４    計測装置
５    水位検出センサ
６    心拍電極
１２    本体側マイコン
２５    台所側マイコン
３５    浴室側マイコン
４３    計測側マイコン
【図１】
2004358126.tif 000003
【図２】
2004358126.tif 000004
【図３】
2004358126.tif 000005
【図４】
2004358126.tif 000006
【図５】
2004358126.tif 000007
【図６】
2004358126.tif 000008
【図７】
2004358126.tif 000009
【図８】
2004358126.tif 000010
【図９】
2004358126.tif 000011